【手続補正書】
【提出日】平成19年2月15日(2007.2.15)
【手続補正１】
【補正対象書類名】特許請求の範囲
【補正対象項目名】全文
【補正方法】変更
【補正の内容】
【特許請求の範囲】
【請求項１】
光源手段と、該光源手段から出射した発散光束を変換する第１の光学系と、該第１の光学系で変換された光束を光偏向器に導く第２の光学系と、該光偏向器の偏向面にて偏向走査された光束を被走査面上に結像させる第３の光学系と、を有する光走査装置において、
主走査断面内において、該第１の光学系と該第２の光学系は、該光源手段から出射した光束を平行光束に変換して該偏向面の主走査方向の幅より広い状態で該光偏向器の偏向面に入射させており、
該第１の光学系で発生する球面収差を該第２の光学系に含まれる主走査断面内で非球面作用を有する面で補償するようにしたことを特徴とする光走査装置。
【請求項２】
光源手段と、該光源手段から出射した発散光束を変換する第１の光学系と、該第１の光学系で変換された光束を光偏向器に導く第２の光学系と、該光偏向器の偏向面にて偏向走査された光束を被走査面上に結像させる第３の光学系と、を有する光走査装置において、
該第２の光学系の少なくとも一部は、該第３の光学系を含み、
主走査断面内において、該第１の光学系と該第２の光学系は、該光源手段から出射した光束を平行光束に変換して該偏向面の主走査方向の幅より広い状態で該光偏向器の偏向面に入射させており、
主走査断面内において、該光偏向器の偏向面に入射する光束は、該第３の光学系の光軸と平行な方向から入射しており、
副走査断面内において、該第１の光学系と該第２の光学系は、該光源手段から出射した光束を該光偏向器の偏向面の法線に対し斜入射させており、
該第１の光学系で発生する球面収差を該第２の光学系に含まれる主走査断面内で非球面作用を有する面で補償するようにしたことを特徴とする光走査装置。
【請求項３】
主走査断面内において該第２の光学系の光軸と該第３の光学系の光軸との成す角度は所定の角度を有していることを特徴とする請求項１記載の光走査装置。
【請求項４】
前記第１の光学系は単一の球面レンズを有する請求項１乃至３の何れか１項記載の光走査装置。
【請求項５】
前記第２の光学系に含まれる主走査断面内で非球面作用を有する面は、前記第１の光学系で発生する球面収差に起因する被走査面上での主走査方向の像面湾曲を補償していることを特徴とする請求項１乃至４の何れか１項に記載の光走査装置。
【請求項６】
前記第２の光学系に含まれる主走査断面内で非球面作用を有する面は、非円弧の形状であることを特徴とする請求項１乃至５の何れか１項に記載の光走査装置。
【請求項７】
前記第２の光学系に含まれる主走査断面内で非球面作用を有する面は、回折面であることを特徴とする請求項１乃至５の何れか１項に記載の光走査装置。
【請求項８】
前記回折面は、前記光源手段から出射する光束の波長が変動した際に生じる前記第１の光学系、前記第２の光学系、前記第３の光学系の全系の色収差を補償していることを特徴とする請求項７に記載の光走査装置。
【請求項９】
前記第１の光学系はガラス材より成るレンズを有し、前記第２の光学系は樹脂より成るレンズを１つ以上有し、
該第１の光学系及び該第２の光学系による最大球面収差をＳＡ、該第１の光学系及び該第２の光学系の主走査方向の合成焦点距離をＦ12  、前記第３の光学系の主走査方向の焦点距離をＦ3  、前記光源手段から出射する光束の波長をλ、前記光偏向器の偏向面の主走査方向の幅をＷとするとき、
３．０×｜ＳＡ｜×（Ｆ3／Ｆ１２）２≦１．５５×１０3×（Ｆ3／Ｗ×λ）2なる条件を満足することを特徴とする請求項１乃至８の何れか１項に記載の光走査装置。
【請求項１０】
請求項１乃至９の何れか１項に記載の光走査装置と、前記被走査面に配置された感光体と、前記光走査装置で走査された光ビームによって前記感光ドラムの上に形成された静電潜像をトナー像として現像する現像器と、現像されたトナー像を被転写材に転写する転写ローラと、転写されたトナー像を被転写材に定着させる定着器とを有することを特徴とする画像形成装置。
【請求項１１】
請求項１乃至１０の何れか１項に記載の光走査装置と、外部機器から入力したコードデータを画像信号に変換して前記光走査装置に入力せしめるプリンタコントローラとを有していることを特徴とする画像形成装置。
【請求項１２】
各々が請求項１乃至９の何れか１項に記載の光走査装置の被走査面に配置され、互いに異なった色の画像を形成する複数の像担持体とを有することを特徴とするカラー画像形成装置。
【請求項１３】
外部機器から入力した色信号を異なった色の画像データに変換して各々の光走査装置に入力せしめるプリンタコントローラを有していることを特徴とする請求項１２記載のカラー画像形成装置。
【手続補正２】
【補正対象書類名】明細書
【補正対象項目名】００２１
【補正方法】変更
【補正の内容】
【００２１】
請求項１の発明の光走査装置は、光源手段と、該光源手段から出射した発散光束を変換する第１の光学系と、該第１の光学系で変換された光束を光偏向器に導く第２の光学系と、該光偏向器の偏向面にて偏向走査された光束を被走査面上に結像させる第３の光学系と、を有する光走査装置において、
主走査断面内において、該第１の光学系と該第２の光学系は、該光源手段から出射した光束を平行光束に変換して該偏向面の主走査方向の幅より広い状態で該光偏向器の偏向面に入射させており、
該第１の光学系で発生する球面収差を該第２の光学系に含まれる主走査断面内で非球面作用を有する面で補償するようにしたことを特徴としている。
【手続補正３】
【補正対象書類名】明細書
【補正対象項目名】００２２
【補正方法】変更
【補正の内容】
【００２２】
請求項２の発明の光走査装置は、光源手段と、該光源手段から出射した発散光束を変換する第１の光学系と、該第１の光学系で変換された光束を光偏向器に導く第２の光学系と、該光偏向器の偏向面にて偏向走査された光束を被走査面上に結像させる第３の光学系と、を有する光走査装置において、
該第２の光学系の少なくとも一部は、該第３の光学系を含み、
主走査断面内において、該第１の光学系と該第２の光学系は、該光源手段から出射した光束を平行光束に変換して該偏向面の主走査方向の幅より広い状態で該光偏向器の偏向面に入射させており、
主走査断面内において、該光偏向器の偏向面に入射する光束は、該第３の光学系の光軸と平行な方向から入射しており、
副走査断面内において、該第１の光学系と該第２の光学系は、該光源手段から出射した光束を該光偏向器の偏向面の法線に対し斜入射させており、
該第１の光学系で発生する球面収差を該第２の光学系に含まれる主走査断面内で非球面作用を有する面で補償するようにしたことを特徴としている。
【手続補正４】
【補正対象書類名】明細書
【補正対象項目名】００２３
【補正方法】変更
【補正の内容】
【００２３】
請求項３の発明の光走査装置は、主走査断面内において該第２の光学系の光軸と該第３の光学系の光軸との成す角度は所定の角度を有していることを特徴としている。
【手続補正５】
【補正対象書類名】明細書
【補正対象項目名】００２４
【補正方法】変更
【補正の内容】
【００２４】
請求項４の発明は請求項１乃至３のいずれか１項の発明において、前記第１の光学系は単一の球面レンズを有することを特徴としている。
【手続補正６】
【補正対象書類名】明細書
【補正対象項目名】００２５
【補正方法】変更
【補正の内容】
【００２５】
請求項５の発明は請求項１乃至４のいずれか１項の発明において、前記第２の光学系に含まれる主走査断面内で非球面作用を有する面は、前記第１の光学系で発生する球面収差に起因する被走査面上での主走査方向の像面湾曲を補償していることを特徴としている。
【手続補正７】
【補正対象書類名】明細書
【補正対象項目名】００２６
【補正方法】変更
【補正の内容】
【００２６】
請求項６の発明は請求項１乃至５のいずれか１項の発明において、前記第２の光学系に含まれる主走査断面内で非球面作用を有する面は、非円弧の形状であることを特徴としている。
【手続補正８】
【補正対象書類名】明細書
【補正対象項目名】００２７
【補正方法】変更
【補正の内容】
【００２７】
請求項７の発明は請求項１乃至５のいずれか１項の発明において、前記第２の光学系に含まれる主走査断面内で非球面作用を有する面は、回折面であることを特徴としている。
【手続補正９】
【補正対象書類名】明細書
【補正対象項目名】００２８
【補正方法】変更
【補正の内容】
【００２８】
請求項８の発明は請求項７の発明において、前記回折面は、前記光源手段から出射する光束の波長が変動した際に生じる前記第１の光学系、前記第２の光学系、前記第３の光学系の全系の色収差を補償していることを特徴としている。
【手続補正１０】
【補正対象書類名】明細書
【補正対象項目名】００２９
【補正方法】変更
【補正の内容】
【００２９】
請求項９の発明は請求項１乃至８のいずれか１項の発明において、前記第１の光学系はガラス材より成るレンズを有し、前記第２の光学系は樹脂より成るレンズを１つ以上有し、
該第１の光学系及び該第２の光学系による最大球面収差をＳＡ、該第１の光学系及び該第２の光学系の主走査方向の合成焦点距離をＦ12  、前記第３の光学系の主走査方向の焦点距離をＦ3  、前記光源手段から出射する光束の波長をλ、前記光偏向器の偏向面の主走査方向の幅をＷとするとき、
３．０×｜ＳＡ｜×（Ｆ3／Ｆ１２）２≦１．５５×１０3×（Ｆ3／Ｗ×λ）2なる条件を満足することを特徴としている。
【手続補正１１】
【補正対象書類名】明細書
【補正対象項目名】００３０
【補正方法】変更
【補正の内容】
【００３０】
請求項１０の発明の画像形成装置は、請求項１乃至９の何れか１項に記載の光走査装置と、前記被走査面に配置された感光体と、前記光走査装置で走査された光ビームによって前記感光ドラムの上に形成された静電潜像をトナー像として現像する現像器と、現像されたトナー像を被転写材に転写する転写ローラと、転写されたトナー像を被転写材に定着させる定着器とを有することを特徴としている。
【手続補正１２】
【補正対象書類名】明細書
【補正対象項目名】００３１
【補正方法】変更
【補正の内容】
【００３１】
請求項１１の発明の画像形成装置は、請求項１乃至１０の何れか１項に記載の光走査装置と、外部機器から入力したコードデータを画像信号に変換して前記光走査装置に入力せしめるプリンタコントローラとを有していることを特徴としている。
【手続補正１３】
【補正対象書類名】明細書
【補正対象項目名】００３２
【補正方法】変更
【補正の内容】
【００３２】
請求項１２の発明のカラー画像形成装置は、各々が請求項１乃至９の何れか１項に記載の光走査装置の被走査面に配置され、互いに異なった色の画像を形成する複数の像担持体とを有することを特徴としている。
【手続補正１４】
【補正対象書類名】明細書
【補正対象項目名】００３３
【補正方法】変更
【補正の内容】
【００３３】
請求項１３の発明は請求項１２の発明において、外部機器から入力した色信号を異なった色の画像データに変換して各々の光走査装置に入力せしめるプリンタコントローラを有していることを特徴としている。
【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】削除
【補正の内容】
【手続補正１７】
【補正対象書類名】明細書
【補正対象項目名】００３６
【補正方法】削除
【補正の内容】
【手続補正１８】
【補正対象書類名】明細書
【補正対象項目名】００３７
【補正方法】削除
【補正の内容】
【手続補正１９】
【補正対象書類名】明細書
【補正対象項目名】００３８
【補正方法】削除
【補正の内容】